(57)【特許請求の範囲】
【請求項１】
洗浄すべき麻雀牌を一個ずつ一定間隔毎に送り出す供給手段と、この供給手段から麻雀牌を受け取ってその外周面に麻雀牌を一定方向に向けた状態に保持しながら搬送する第１搬送回転円盤と、この第１搬送回転円盤の外周面における一定の円弧長部分に沿って配設され、その内面に取付けている内張り清掃部材により第１搬送回転円盤によって搬送される上記麻雀牌の上下面と外面との三面を清掃する平面弓形状に湾曲した断面コ字状の第１固定清掃具と、この第１固定清掃具により清掃された麻雀牌を第１搬送回転円盤から受け取ってその外周面で該麻雀牌を、上記三面以外の三面を上下及び外側にそれぞれ向けた状態に保持しながら搬送する第２搬送回転円盤と、この第２搬送回転円盤の外周面における一定の円弧長部分に沿って配設され、その内面に取付けている内張り清掃部材により上記第１固定清掃具で清掃された三面以外の上記三面を清掃する平面弓形状に湾曲した断面コ字状の第２固定清掃具とを備えていることを特徴とする麻雀牌の自動清掃装置。
【請求項２】
第１搬送回転円盤及び第２搬送回転円盤の外周面に麻雀牌を一定方向に向けた状態に保持しながら搬送する搬送手段であって、第１搬送回転円盤及び第２搬送回転円盤の下面に沿って、これらの第１、第２搬送回転円盤に供給される麻雀牌の下面を支持する固定水平ガイド板をそれぞれ第１、第２固定清掃具の入り口にまで配設していると共に、第１搬送回転円盤及び第２搬送回転円盤の外周面から一定間隔を存した位置に麻雀牌を第１、第２固定清掃の入口まで案内する周壁部をそれぞれ設けてあり、さらに、第１、第２搬送回転円盤の外周面に麻雀牌の垂直な一面を受止してこれらの第１、第２搬送回転円盤の回転に従って麻雀牌を上記固定水平ガイド板上を摺動させながら第１、第２固定清掃具に送り込む受止突片を周方向に一定間隔毎に突設してなることを特徴とする請求項１に記載の麻雀牌の自動清掃装置。
【請求項３】
第１搬送回転円盤の外周面に沿って配設している第１固定清掃具の出口の下方に第２搬送回転円盤の下面に沿った水平ガイド板を配設していると共に、第１固定清掃具の出口から送りだされる麻雀牌を上下に向きを変えて上記第２搬送回転円盤の水平ガイド板上に落とし込むシュートを配設していることを特徴とする請求項１に記載の麻雀牌の自動清掃装置。
【請求項４】
第１搬送回転円盤及び第２搬送回転円盤にそれぞれ配設している第１固定清掃具と第２固定清掃具の入口側の手前に、洗浄液を含浸可能な内張り洗浄部材を備え、この内張り洗浄部材によって麻雀牌の三面と残りの三面とをそれぞれ洗浄する断面コ字状の第１固定洗浄具と第２固定洗浄具とを配設していることを特徴とする請求項１、請求項２又は請求項３に記載の麻雀牌の自動清掃装置。
【請求項５】
第１固定洗浄具と第１固定清掃具及び第２固定洗浄具と第２固定清掃具を着脱自在に配設していることを特徴とする請求項１又は請求項４に記載の麻雀牌の自動清掃装置。
【請求項６】
第１搬送回転円盤に麻雀牌を一個ずつ一定間隔毎に送り出す供給手段であって、多数の麻雀牌を受け入れる回転テーブルと、外周面にこの回転テーブル上の麻雀牌を一個ずつ、吸着する磁石を装着している麻雀牌供給回転円板と、この麻雀牌供給回転円板の外周面に吸着された麻雀牌を受止して磁石から離脱させ、第１搬送回転円盤の下面に沿って配設している固定水平ガイド板上に落とし込むストッパとからなることを特徴とする請求項１に記載の麻雀牌の自動清掃装置。
【発明の詳細な説明】
【技術分野】
【０００１】
本発明は、ゲームに使用した汚れた麻雀牌をゲーム後において清掃する麻雀牌の自動清掃装置に関するものである。
【背景技術】
【０００２】
麻雀ゲームを行うと、麻雀牌が手垢や埃等によって汚れるので、ゲーム終了後には麻雀牌の洗浄、清掃が行われている。このような洗浄、清掃方法としては、一般的に人手によって布で拭き取ることが行われているが、多大な労力と時間を要するために、例えば、特許文献１に記載されているように、スポンジ等の清掃材を布で包んだ球状清掃体を全自動麻雀卓におけるターンテーブル上に投入してターンテーブル上の麻雀牌と共にターンテーブルの回転によって攪拌することにより、該球状洗浄体によって麻雀牌を清掃する方法が開発されている。
【０００３】
また、このような全自動麻雀卓のターンテーブルを利用した清掃方法以外に、ゲームに使用した麻雀牌の自動洗浄機として、特許文献２に記載されているように、牌を起立状態にして落下させる導入管を備えたホッパーと、導入管から落下する牌を一個ずつ、その上下端部を外部に露出させた状態にして収容、保持できる貫通孔を外周部に設けてなる間欠回転テーブルと、この間欠回転テーブルの上記貫通孔の移動途上に配置されてこの貫通孔から突出している牌の上下端面を洗浄する上下一対の第１回転ブラシと、上下端面を洗浄された牌を間欠回転テーブルから離脱させて水平に延びる案内通路内に供給する供給通路と、案内通路内に供給された牌を押し進めて案内通路を通過させる移送桿と、この案内通路の途中に配設されて牌の未洗浄の他の四面を洗浄する上下一対の第２回転ブラシとからなる洗浄機が知られている。
【先行技術文献】
【特許文献】
【０００４】
【特許文献１】特開昭６２−１３７０８０号公報
【特許文献２】特公平６−４１１３号公報
【発明の開示】
【発明が解決しようとする課題】
【０００５】
しかしながら、上記前者の麻雀牌の洗浄、清掃方法によれば、ターンテーブルの回転によって麻雀牌と球状洗浄体とを攪拌する際に、麻雀牌よりも球状洗浄体が軽いために、球状洗浄体が麻雀牌の上に乗った状態となって洗浄効率が著しく低下するばかりでなく、球状洗浄体と接触しない麻雀牌が生じて洗浄ムラが生じる虞れがあり、その上、球状洗浄体との接触による洗浄時間は極めて短いために、充分な洗浄効果を期待することができないといった問題点がある。
【０００６】
一方、後者の麻雀牌によれば、麻雀ゲームの終了後において、使用した麻雀牌を自動麻雀牌卓から取り出してこの洗浄機によって洗浄することができるが、洗浄するには、まず、間欠回転テーブルの外周部に設けている貫通孔内に麻雀牌を収容しなければならないために、間欠回転テーブルを一旦、停止させてその貫通孔内に麻雀牌が収容されるのを待たなければならず、従って、洗浄効率が低下して全ての麻雀牌を洗浄するには長時間を要するばかりでなく、麻雀牌が間欠回転テーブルの貫通孔内に収容されたのち、この間欠回転テーブルを回転させるには、兼通孔内に麻雀牌が収容されたのを検知するセンサーを必要とし、構造が煩雑化して故障が発生し易くなる虞れがある。
【０００７】
また、間欠回転テーブルの上記貫通孔の移動途上に配置されている上下一対の第１回転ブラシによって貫通孔から突出している牌の上下端面を洗浄するように構成しているが、この第１回転ブラシを通過する時間が短時間であるため、充分な洗浄が行われず、洗浄効果を向上させるには、第１回転ブラシの位置に貫通孔が達すると、間欠回転テーブルを停止させればよいが、そうすると、その動作を行わせるための新たなセンサーを必要するばかりでなく、全ての麻雀牌を洗浄するには長時間を要するといった問題点がある。
【０００８】
さらに、第１回転ブラシによって二面を洗浄された麻雀牌の他の四面を洗浄するには、この麻雀牌を間欠回転テーブルから離脱させて水平に延びる案内通路内に供給し、麻雀牌を移動桿によって押し進めて案内通路の途中に配設されている上下一対の第２回転ブラシにより洗浄するように構成しているので、洗浄機全体の構造が複雑化して高価につくばかりでなく、第２回転ブラシによる洗浄時間が極めて短くて効果的な洗浄が行えないといった問題点がある。
【０００９】
本発明はこのような問題点に鑑みてなされたもので、その目的とするところは、簡単な構造によって多数個の麻雀牌を連続自動的に能率よく清掃することができると共に、麻雀牌の６面全面を均一に且つ綺麗に清掃することができる麻雀牌の自動清掃装置を提供するにある。
【課題を解決するための手段】
【００１０】
上記目的を達成するために、本発明の麻雀牌の自動清掃装置は、請求項１に記載したように、洗浄すべき麻雀牌を一個ずつ一定間隔毎に送り出す供給手段と、この供給手段から麻雀牌を受け取ってその外周面に麻雀牌を一定方向に向けた状態に保持しながら搬送する第１搬送回転円盤と、この第１搬送回転円盤の外周面における一定の円弧長部分に沿って配設され、その内面に取付けている内張り清掃部材により第１搬送回転円盤によって搬送される上記麻雀牌の上下面と外面との三面を清掃する平面弓形状に湾曲した断面コ字状の第１固定清掃具と、この第１固定清掃具により清掃された麻雀牌を第１搬送回転円盤から受け取ってその外周面で該麻雀牌を、上記三面以外の三面を上下及び外側にそれぞれ向けた状態に保持しながら搬送する第２搬送回転円盤と、この第２搬送回転円盤の外周面における一定の円弧長部分に沿って配設され、その内面に取付けている内張り清掃部材により上記第１固定清掃具で清掃された三面以外の上記三面を清掃する平面弓形状に湾曲した断面コ字状の第２固定清掃具とを備えていることを特徴とする。
【００１１】
このように構成した麻雀牌の自動清掃装置において、請求項２に係る発明は、第１搬送回転円盤及び第２搬送回転円盤の外周面に麻雀牌を一定方向に向けた状態に保持しながら搬送する搬送手段であって、第１搬送回転円盤及び第２搬送回転円盤の下面に沿って、これらの第１、第２搬送回転円盤に供給される麻雀牌の下面を支持する固定水平ガイド板をそれぞれ第１、第２固定清掃具の入り口にまで配設していると共に、第１搬送回転円盤及び第２搬送回転円盤の外周面から一定間隔を存した位置に麻雀牌を第１、第２固定清掃の入口まで案内する周壁部をそれぞれ設けてあり、さらに、第１、第２搬送回転円盤の外周面に麻雀牌の垂直な一面を受止してこれらの第１、第２搬送回転円盤の回転に従って麻雀牌を上記固定水平ガイド板上を摺動させながら第１、第２固定清掃具に送り込む受止突片を周方向に一定間隔毎に突設してなることを特徴とする。
【００１２】
請求項３に係る発明は、上記第１搬送回転円盤の外周面に沿って配設している第１固定清掃具の出口の下方に第２搬送回転円盤の下面に沿った水平ガイド板を配設していると共に、第１固定清掃具の出口から送りだされる麻雀牌を上下に向きを変えて上記第２搬送回転円盤の水平ガイド板上に落とし込むシュートを配設していることを特徴とする。
【００１３】
請求項４に係る発明は、第１搬送回転円盤及び第２搬送回転円盤にそれぞれ配設している第１固定清掃具と第２固定清掃具の入口側の手前に、洗浄液を含浸可能な内張り洗浄部材を備え、この内張り洗浄部材によって麻雀牌の三面と残りの三面とをそれぞれ洗浄する断面コ字状の第１固定洗浄具と第２固定洗浄具とを配設していることを特徴とする。
【００１４】
請求項５に係る発明は、上記第１固定清掃具と第２固定清掃具、及び、第１固定洗浄具と第２固定洗浄具を着脱自在に配設していることを特徴とする。
【００１５】
また、請求項６に係る発明は、第１搬送回転円盤に麻雀牌を一個ずつ一定間隔毎に送り出す供給手段であって、多数の麻雀牌を受け入れる回転テーブルと、外周面にこの回転テーブル上の麻雀牌を一個ずつ、吸着する磁石を装着している麻雀牌供給回転円板と、この麻雀牌供給回転円板の外周面に吸着された麻雀牌を受止して磁石から離脱させ、第１搬送回転円盤の下面に沿って配設している固定水平ガイド板上に落とし込むストッパとからなることを特徴とする。
【発明の効果】
【００１６】
請求項１に係る発明によれば、供給手段から送られてくる麻雀牌を一定方向を向けた状態にしてその外周面に保持しながら搬送する第１搬送回転円盤の該外周面に沿って、上記麻雀牌の上下面と外面との三面を清掃する清掃部材を内張りしている平面弓形状に湾曲した断面コ字状の第１固定清掃具を配設しているので、第１搬送回転円盤の回転によってこの第１搬送回転円盤の外周面に保持されている麻雀牌の上下面と外面とを第１固定清掃具の内張り清掃部材の上下面と奥底面との三面にそれぞれ摺擦させながらこの内張り清掃部材によって円滑且つ確実に該麻雀牌の上記三面を清掃することができると共に第１固定清掃具が一定の円弧長を有する平面弓形状に形成されているから、麻雀牌がこの第１固定清掃具の内張り清掃部材により清掃される時間が長くなって上記三面全面を均一に且つ綺麗に清掃することができる。
【００１７】
さらに、上記第１固定清掃具によって清掃された麻雀牌を第１搬送回転円盤から受け取ってその外周面に該麻雀牌を、上記三面以外の三面を上下及び外側にそれぞれ向けた状態に保持しながら搬送する第２搬送回転円盤においても、該麻雀牌の清掃されていない残りの三面を清掃する清掃部材を内張りしている平面弓形状に湾曲した断面コ字状の第２固定清掃具を配設しているので、第２搬送回転円盤の回転によってこの第２搬送回転円盤の外周面に保持されている麻雀牌の上記残りの三面を第２固定清掃具の内張り清掃部材の上下面と奥底面との三面にそれぞれ摺擦させながらこの内張り清掃部材によって円滑且つ確実に該麻雀牌の上記三面を清掃することができると共にこの第２固定清掃具も一定の円弧長を有する平面弓形状に形成されているから、麻雀牌がこの第２固定清掃具の内張り清掃部材により清掃される時間が長くなって上記残りの三面を全面的に均一且つ綺麗に清掃することができる。
【００１８】
その上、上記第１固定清掃具及び第２固定清掃具によって麻雀牌を清掃している間においても、第１搬送回転円盤及び第２搬送回転円盤は一定の周速度でもって回転しているから、麻雀牌の清掃が能率よく行えて、多数の麻雀牌を短時間で清掃処理することができ、また、第１固定清掃具及び第２固定清掃具による麻雀牌の清掃は、第１搬送回転円盤及び第２搬送回転円盤によって麻雀牌を円周方向に水平に搬送しながら行うものであるから、全体の構造をコンパクトに構成することができると共に故障の発生が生じ難い麻雀牌の自動清掃装置を提供することができる。
【００１９】
請求項２に係る発明によれば、上記第１搬送回転円盤及び第２搬送回転円盤の下面に沿って水平ガイド板を配設していると共に上記第１搬送回転円盤及び第２搬送回転円盤の外周面から一定間隔を存した位置に周壁板を設けてあり、さらに、第１、第２搬送回転円盤の外周面に麻雀牌の垂直な一面を受止する受止突片を周方向に一定間隔毎に突設しているので、上記水平ガイド板と周壁板とによって麻雀牌を一定方向に向けた状態に保持しながら第１搬送回転円盤と第２搬送回転円盤の回転に従って、麻雀牌を第１、第２固定清掃具の入り口まで円滑に搬送することができると共に、これらの第１固定清掃具内及び第２固定清掃具内においては、受止突片によって麻雀牌を第１搬送回転円盤及び第２搬送回転円盤の回転に従って強制的に押し進めながら麻雀牌を清掃することができる。
【００２０】
請求項３に係る発明によれば、第１搬送回転円盤の外周面に沿って配設している第１固定清掃具の出口の下方に、第２搬送回転円盤の下面に沿った水平ガイド板を配設していると共に第１固定清掃具の出口から送りだされる麻雀牌を上下に向きを変えて上記第２搬送回転円盤の水平ガイド板上に落とし込むシュートを配設しているので、上記第１固定清掃具の内張り清掃部材によって上下面と外面との三面を清掃された麻雀牌を第２搬送回転円盤側に移送する時に、第１搬送回転円盤側では回転方向に向けている麻雀牌の前端面を落とし込みシュートによって下側に向けて麻雀牌を起立させ、且つ、第１搬送回転円盤側では外側に向けていたこの麻雀牌の外面を内側にして第２搬送回転円盤の外周面に配置させることができ、上記第１固定清掃具では清掃できなかった他の三面を第２固定清掃具によって清掃可能な姿勢に簡単且つ確実に変更させることができる。
【００２１】
請求項４に係る発明によれば、第１搬送回転円盤及び第２搬送回転円盤にそれぞれ配設している第１固定清掃具と第２固定清掃具の入口側の手前に、洗浄液を含浸可能な内張り洗浄部材を備え、この内張り洗浄部材によって麻雀牌の三面と残りの三面とをそれぞれ洗浄する断面コ字状の第１固定洗浄具と第２固定洗浄具とを配設しているので、これらの第１固定洗浄具の内張り洗浄部材と第２固定洗浄具の内張り洗浄部材とに含浸している洗浄液によって、麻雀牌に付着している手垢や塵等を洗い落とすことができ、しかるのち、洗い落とした麻雀牌の三面とこの三面以外の三面とを上記第１固定清掃具と第２固定清掃具とによって順次拭き取って麻雀牌を一層綺麗に磨き上げることができる。
【００２２】
請求項５に係る発明によれば、上記第１搬送回転円盤と第２搬送回転円盤の外周部に上記第１固定清掃具と第２固定清掃具、及び、第１固定洗浄具と第２固定洗浄具を着脱自在に配設しているので、これらの清掃具や洗浄具の内張り清掃部材や内張り洗浄部材が麻雀牌の清掃、洗浄によって汚損した際に、新たな清掃具、洗浄具と交換して再び麻雀牌の清掃、洗浄に使用することができる。
【００２３】
また、請求項６に係る発明は、上記第１搬送回転円盤に麻雀牌を一個ずつ一定間隔毎に送り出す供給手段であって、多数の麻雀牌を受け入れる回転テーブルと、外周面にこの回転テーブル上の麻雀牌を一個ずつ、吸着する磁石を装着している麻雀牌供給回転円板と、この麻雀牌供給回転円板の外周面に吸着された麻雀牌を受止して磁石から離脱させ、第１搬送回転円盤の下面に沿って配設している固定水平ガイド板上に落とし込むストッパとから構成しているので、回転テーブル上に投入された多数の麻雀牌の裏面を麻雀牌供給回転円板の外周面に装着している磁石によって順次、吸着させて常に一定の姿勢でもってストッパに付き当てることができると共に、麻雀牌供給回転円板の回転に従って、ストッパにより麻雀牌を磁石から確実に離脱させて上記一定の姿勢を保持したまま、第１搬送回転円盤側に落とし込むことができるものであり、従って、この第１搬送回転円盤に次々と供給される全ての麻雀牌における上下面と外面との所定の三面を第１固定清掃具によって確実に清掃することができる。
【図面の簡単な説明】
【００２４】
【図１】本発明麻雀牌の自動清掃装置の斜視図。
【図２】その要部の斜視図。
【図３】第１、第２固定清掃具と第１固定洗浄具とを取り外した状態の斜視図。
【図４】各部の回転駆動機構の一部を断面した簡略正面図。
【図５】回転円板から第１搬送回転円盤に牌を供給する状態を示す斜視図。
【図６】その簡略平面図。
【図７】第１固定洗浄具の装着部分の斜視図。
【図８】麻雀牌が通過中の第１固定清掃具の縦断面図。
【図９】その第１固定清掃具の斜視図。
【図１０】第１固定清掃具から第２搬送回転円盤側に麻雀牌を移動させる部分の斜視図。
【図１１】その簡略平面図。
【図１２】第２固定洗浄具の装着部分の斜視図。
【図１３】麻雀牌が通過中の第２固定清掃具の縦断面図。
【図１４】その第２固定清掃具の斜視図。
【発明を実施するための形態】
【００２５】
次に、本発明の具体的な実施の形態を図面について説明すると、図１〜図４において、機台１の一側部上に多数の麻雀牌Ａを受け入れて攪拌する円板形状の回転テーブル２を設置していると共に、機台１の中央部にこの回転テーブル２の外周部から麻雀牌Ａを一個ずつ吸着して機台１の他側部上に配設している第１搬送回転円盤４側に供給する麻雀牌供給回転円板３を配設してあり、さらに、第１搬送回転円盤４に隣接してこの第１搬送回転円盤４と同径の第２搬送回転円盤５を配設していると共に、第１搬送回転円盤４に麻雀牌Ａ三面を清掃する清掃部材７を内張りしている第１固定清掃具６を、第２搬送回転円盤５に麻雀牌Ａの残りの三面を清掃する清掃部材８を内張りしている第２固定清掃具７をそれぞれ設けている。
【００２６】
上記回転テーブル２の周囲には円形状の固定周壁板10が配設されていて回転テーブル２の回転により攪拌される麻雀牌Ａが回転テーブル２外に飛び出すのを阻止していると共にこの固定周壁板10の一部を切除してその切除部10a を通じて上記麻雀牌供給回転円板３の一部を回転テーブル２の一部外周面上にその下面を近接させた状態となるように配設している。この麻雀牌供給回転円板３の外周面における数カ所（図においては４個所）に、麻雀牌Ａに埋設している磁石片Ｂを吸引して麻雀牌Ａの前後両端面をこの回転円板３の回転方向に向け、且つ、該麻雀牌Ａの背面をその表面に接した状態となるように吸着する磁石11を等間隔毎に埋設状態で装着している。
【００２７】
さらに、上記周壁板８の切除部10から外部に設けられている麻雀牌供給回転円板３の外周面に近接して横断面Ｌ字状に屈折したストッパ12を配設してあり、このストッパ12における一方の垂直板面12a を麻雀牌供給回転円板３の回転方向に対向させて磁石11に吸着された麻雀牌Ａを受止して麻雀牌供給回転円板３の回転に従って磁石11から剥離するように離脱させ、磁石11に吸着された時の姿勢でもってこのストッパ12の垂直面に沿って落下させるように構成している。
【００２８】
上記第１搬送回転円盤４は、麻雀牌供給回転円板３の外周面下方にストッパ12を介して対向するように配設されてあり、図５、図６に示すように、この第１搬送回転円盤４の下面外周部に沿ってその外周部を囲むように上記ストッパ12を通じて落下する麻雀牌Ａの下面を受止する水平方向に円弧状に湾曲した第１固定水平ガイド板13をストッパ12の下方から上記第１固定清掃具６の入口までの略半円周長さに亘って配設している。また、この第１固定水平ガイド板13上には、第１搬送回転円盤４の外周面から麻雀牌Ａが通過可能な間隔を存して第１搬送回転円盤４の外周面に沿って円弧状に湾曲した周壁部13a を突設している。
【００２９】
さらに、第１搬送回転円盤４の外周面の数カ所（図においては４個所）に、上記ストッパ12を通じて落下する麻雀牌Ａの垂直な一面に押し当てて上記第１固定水平ガイド板13上で第１搬送回転円盤４の回転に従って麻雀牌Ａをその回転方向に押し進める受止突片14を等間隔毎に突設している。
【００３０】
上記第１固定清掃具６は、上記第１固定水平ガイド板13の終端から上記ストッパ12の下方近傍部に達する第１搬送回転円盤４の外周面における半円周長さ部分に沿って配設されてあり、第１搬送回転円盤４に沿うように平面弓形状に湾曲している半円環状の上下板部6a、6bの外周端間を第１搬送回転円盤４の厚みよりも縦幅寸法が大きい円弧状に湾曲した外周壁板部6cによって一体に連設してなる断面コ字状に形成されていると共に、図８、図９に示すように、その内面にフェルトや発泡合成樹脂、不織布、布帛、或いはブラシ等からなり、第１搬送回転円盤４によって搬送される麻雀牌Ａにおける上下面及び外面に摺擦してこれらの面を清掃する一定厚みを有する清掃部材８を内張りしている。
【００３１】
一方、上記第２搬送回転円盤５は、麻雀牌供給回転円板３の下方にこの麻雀牌供給回転円板３の回転中心軸にその中心を固着させた状態で、且つ、上記第１搬送回転円盤４よりも低い位置にこの第１搬送回転円盤４に対向させて配設されてあり、第１搬送回転円盤４の外周面に沿って配設している上記第１固定清掃具６における麻雀牌Ａの出口の下方に、図10、図11に示すように、この第２搬送回転円盤５の下面外周部に沿って該下面の外側に配設している第２水平ガイド板15の上面を対向させていると共に、上記麻雀牌Ａの出口とこの第２水平ガイド板15との間に、上端を麻雀牌Ａの出口に近接させ、下端が第２水平ガイド板15の上面から麻雀牌Ａが通過可能な間隔を存した位置にまで配設されていて上端から下端に向かって斜め前方に傾斜しているシュート16を配設してあり、第１固定清掃具６の出口から送りだされた麻雀牌Ａをこのシュート16によって起立する方向に向きを変えながら第２水平ガイド板15上に落下させるように構成している。
【００３２】
上記第２搬送回転円盤５には、その外周面の数カ所（図においては４個所）に、上記第１搬送回転円盤４と同様に、第２水平ガイド板15上に起立状態で送り込まれた麻雀牌Ａの垂直な背面に押し当てて第２搬送回転円盤５の回転に従って麻雀牌Ａを第２水平ガイド板15上で押し進める受止突片17を等間隔毎に突設している。なお、第２水平ガイド板15の円弧長は、第２搬送回転円盤５の半周長さよりも短い長さに形成されていると共にこの外周端に、第２搬送回転円盤５の外周面から麻雀牌Ａが通過可能な間隔を存して円弧状に湾曲した周壁部15a を突設している。
【００３３】
また、上記第２固定清掃具７は、第２固定水平ガイド板15の終端から第２搬送回転円盤５の外周面における半円周長さ部分に沿って配設されてあり、第１固定清掃具６と同様に、第２搬送回転円盤５に沿うように平面弓形状に湾曲している半円環状の上下板部7a、7bの外周端間を第２搬送回転円盤５の厚みよりも縦幅寸法が大きい円弧状に湾曲した外周壁板部7cによって一体に連設してなる断面コ字状に形成されていると共に、図13、図14に示すように、その内面にフェルトや発泡合成樹脂、不織布、布帛、或いはブラシ等からなり、第２搬送回転円盤５によって搬送される麻雀牌Ａにおける上記第１固定清掃具６によって清掃される三面以外の三面に摺擦してこれらの面を清掃する一定厚みを有する清掃部材９を内張りしている。
【００３４】
さらに、上記第２固定清掃具７の出口側には、図２に示すように、この出口から送り出される麻雀牌Ａを下方に排出するための排出シュート18が配設されている。なお、この排出シュート18や上記ストッパ12、第１、第２固定水平ガイド板13、15は機台１上の機枠等に固定されている。また、上記第１、第２固定清掃具６、７は、その一端部に突設している係止突片6d、7d（図９、図14に示す）を機枠に設けている係止孔（図示せず）に係止させる一方、他端部に突設している係止突片6e、7eを機枠に取付けている係止金具19、20に係合させることにより、第１、第２搬送回転円盤４、５の外周面に沿って着脱自在に装着するように構成している。
【００３５】
麻雀牌Ａの清掃は、上記第１、第２固定清掃具６、７によって充分に行うことができるが、本発明の実施の形態においては、この第１、第２固定清掃具６、７以外に洗浄液によって麻雀牌Ａを洗浄可能な第１、第２固定洗浄具21、22を配設し、これらの第１、第２固定洗浄具21、22によって麻雀牌Ａを洗浄したのち、上記第１、第２固定清掃具６、７によってそれぞれから拭きするように構成している。
【００３６】
これらの第１、第２固定洗浄具21、22は、断面形状の大きさが上記第１、第２固定清掃具６、７と同じコ字状断面に形成されているが、第１、第２搬送回転円盤４、５に対する周方向の長さは第１、第２固定清掃具６、７の円弧長の数分の１の短さに形成されてあり、その内面に、スポンジや不織布等からなる洗浄液が吸収、含浸可能で、麻雀牌Ａの上下面と外面とに摺擦する一定厚みの洗浄部材23、24を内張りしている。さらに、第１、第２固定洗浄具21、22の上壁面には、洗浄部材23、24に洗浄液を注入する注入孔25、26をそれぞれ穿設している。
【００３７】
第１搬送回転円盤４の外周面の適所に対向して上記第１固定洗浄具21を配設するには、上記第１固定水平ガイド板13の一部を周壁部13a の一部と共に第１固定洗浄具21の横幅に略等しい円弧長部分を切除してこの切除部に該第１固定洗浄具21を介在させ、ねじ等によって取り外し可能に取付けている。
【００３８】
同様に、第２搬送回転円盤５の外周面の適所に対向して上記第２固定洗浄具22を配設するには、上記第２固定水平ガイド板15の一部を周壁部15a の一部と共に第２固定洗浄具22の横幅に略等しい円弧長部分を切除してこの切除部に該第２固定洗浄具22を介在させ、ねじ等によって取り外し可能に取付けている。なお、第１、第２固定水平ガイド板13、15の一部を切除することなく、これらの第１、第２固定水平ガイド板13、15の終端部と上記第１、第２固定清掃具６、７の入口との間に、第１、第２固定洗浄具21、22が介在可能な空間を設け、この空間部に第１、第２固定洗浄具21、22をそれぞれ取り外し可能に介在させて麻雀牌Ａをこれらの第１、第２固定洗浄具21、22から第１、第２固定清掃具６、７内に直接、送り込むように構成してもよい。
【００３９】
上記第１、第２搬送回転円盤４、５は、この実施の形態においては、麻雀牌供給回転円板３と同一径に形成されていてそれぞれ同一方向に同一周速度でもって回転するように構成されていると共に第１、第２搬送回転円盤４、５の外周面に、麻雀牌供給回転円板３の外周面に装着した磁石11と同数で同一間隔毎に麻雀牌Ａの後面を受止する受止突片14、17を取付けているが、麻雀牌供給回転円板３からの麻雀牌Ａの供給間隔に同調して第１、第２搬送回転円盤４、５の受止突片14、17に順次、麻雀牌Ａの送り込みができれば、上記構造に限定する必要はない。
【００４０】
図４は上記回転テーブル２と麻雀牌供給回転円板３、及び第１、第２搬送回転円盤４、５の回転駆動機構を示すもので、回転テーブル２はその中心部を機台１に立設、支持された中心軸27の上端部に回転自在に支持されていると共に第１搬送回転円盤４はその中心部を機台１に回転自在に立設、支持された第１回転中心軸28の上端部に固着してあり、麻雀牌供給回転円板３と第２搬送回転円盤５は、その中心部を機台１に回転自在に立設、支持された第２回転中心軸29の上端部と中間部とにそれぞれ固着している。
【００４１】
機台１上に設置している駆動モータ30の回転軸に固着した小歯車31と、上記第１回転中心軸28の上部に固着して歯車32とを噛合させていると共に、第１、第２回転中心軸28、29の下端部に同大、同径のスプロケット33、34を固着してこれらのスプロケット33、34間にチェーン35を無端状に掛け渡してあり、上記駆動モータ30を作動させることによって麻雀牌供給回転円板３と第１、第２搬送回転円盤４、５とを同一方向に同一速度でもって回転させるように構成している。
【００４２】
さらに、第２回転中心軸29の上端部に傘歯車36を固着している一方、上記回転テーブル２の下面外周部に環状の大径歯車37を固着してあり、機枠に回転自在に支持された水平軸38の両端に上記傘歯車36に噛合した傘歯車39と上記大径歯車37に噛合した小歯車40を固着して第２回転中心軸29の回転を回転テーブル２に伝達して該回転テーブル２を麻雀牌供給回転円板３の回転方向に対して逆方向に回転させるように構成している。なお、回転テーブル２の上面中心に突設している軸に麻雀牌Ａを攪拌しながら回転ケーブル２の外周部側に移動させる一定長さのコイルスプリングからなる攪拌バー41の基端部を取付けている。  
【００４３】
次に、上記のように構成した麻雀牌の自動清掃装置の作用を述べる。駆動モータ30を作動させて回転テーブル２、麻雀牌供給回転円板３、第１、第２搬送回転円盤４、５を回転させると共に回転テーブル２上に一組の麻雀牌Ａを投入すると、回転テーブル２上で麻雀牌Ａが攪拌されながら外周側に移動した麻雀牌Ａが、麻雀牌供給回転円板３の回転によって回転テーブル２の外周部上を通過するこの麻雀牌供給回転円板３の外周部に装着した一つの磁石11に近接すると、該麻雀牌Ａがこの磁石11に吸着される。
【００４４】
この際、麻雀牌Ａ内には磁石片Ｂがその極側を麻雀牌Ａの裏面側に向け、且つ長さ方向を麻雀牌Ａの長さ方向に向けた状態にして埋設されている一方、麻雀牌供給回転円板３に装着している磁石11はその極側を回転円板３の外周面側に向け、且つ長さ方向をこの回転円板３の周方向に向けて装着されているので、この麻雀牌供給回転円板３の磁石11に麻雀牌Ａがその長さ方向を回転円板３の周方向に向けた状態でその背面を該磁石11の面に吸着される。
【００４５】
麻雀牌供給回転円板３の外周面には数個（図においては４個）の磁石11が装着されていてこの回転円板３の回転に従って回転テーブル２上に面した磁石11に上記同様にして麻雀牌Ａが順次、吸着され、この回転円板３の回転によって第１搬送回転円盤４側に搬送される。
【００４６】
麻雀牌供給回転円板３の回転途上における上記第１搬送回転円盤４の外周部上方には、この麻雀牌供給回転円板３によって搬送されてくる麻雀牌Ａに対向してストッパ12が配設されてあり、従って、回転円板３の回転に従って磁石11に吸着されている麻雀牌Ａが回転円板３の回転方向に面しているその前端面を、順次、図１、図５に示すようにこのストッパ12の垂直板面12a に突き当てる。
【００４７】
このように麻雀牌Ａがストッパ12に突き当たって受止されると、それ以上、回転円板３の回転方向に移動できなくなり、回転円板３の回転に従って、磁石11から剥離するように回転円板３の磁石11を設けていない外周面側に相対的に移動し、磁石11による吸着力が解かれて磁石11に吸着された時の姿勢を保持したままストッパ12の垂直板面12a を伝ってこのストッパ12直下の第１搬送回転円盤４の下面外周部に沿って配設している第１固定水平ガイド板13の搬送始端部上に落下、受止される。
【００４８】
この第１固定水平ガイド板13上では、第１搬送回転円盤４の外周面に突設している数片（図においては４片の）の受止突片14が第１搬送回転円盤４の回転によって一体に周回、移動してあり、第１固定水平ガイド板13の搬送始端部上に落下、受止された麻雀牌Ａは、この位置まで周回してきた受止突片14によって順次、その後端面を押されながら第１搬送回転円盤４の回転に従って第１固定水平ガイド板13上を第１固定清掃具６の入口側に向かって搬送される。
【００４９】
第１固定清掃具６の手前には、第１固定洗浄具21が配設されてあり、第１搬送回転円盤４の回転によって搬送される麻雀牌Ａはこの第１固定洗浄具21を通過中に、該第１固定洗浄21の断面コ字状の内張り洗浄部材23にその背面と上下方向に向けている両側面との三面を摺擦させながらこの内張り洗浄部材23に含浸させている洗浄液によって洗浄され、次いで、第１固定清掃具６内に搬送されてこの第１固定清掃具６を通過中に、図８、図９に示すように、断面コ字状の内張り清掃部材８に上記三面を摺擦させながら清掃される。
【００５０】
こうして、第１搬送回転円盤４の各受止突片14によって押し進められながら第１固定洗浄具21、第１固定清掃具６を順次通過した麻雀牌Ａは、この第１固定清掃具６の出口にその上端部を臨ませている傾斜シュート16に落下し、落下中にその前端面を下向きに向きを変えて起立状態となって第２搬送回転円盤５の下面外周部に沿って配設している第２固定水平ガイド板15の搬送始端部上に落下、受止される。
【００５１】
この第２固定水平ガイド板15上では、第２搬送回転円盤５の外周面に突設している数片（図においては４片の）の受止突片17が第２搬送回転円盤５の回転によって一体に周回、移動してあり、第２固定水平ガイド板15の搬送始端部上に起立状態に落下、受止された麻雀牌Ａは、図10、図11に示すように、この位置まで周回してきた受止突片17によって順次、その後端面を押されながら第２搬送回転円盤５の回転に従って第２固定水平ガイド板15上を第２固定清掃具７の入口側に向かって搬送される。
【００５２】
この際、麻雀牌Ａが上記傾斜シュート16から第２固定水平ガイド板15上に送りだされてこの第２固定水平ガイド板15上で起立状態になると、第１搬送回転円盤４側において外向きに向けられていた裏面が内向きとなると共に上下方向に向けていた第２搬送回転円盤５の周方向に向けられ、且つ、前後端面が上下方向に向けられた状態となる。即ち、第１固定清掃具６の内張り清掃部材８によって清掃されなった他の三面が第２固定洗浄具22の内張り洗浄部材24と第２固定清掃具７の内張り清掃部材９に摺擦可能な姿勢となる。
【００５３】
この状態にして上記のように麻雀牌Ａが受止突片17によってその後端面を押されながら第２搬送回転円盤５の回転に従って第２固定水平ガイド板15上を第２固定清掃具７の入口側に向かって搬送されるが、第２固定清掃具７の手前には、第２固定洗浄具22が配設されているので、麻雀牌Ａは、まず、この第２固定洗浄具22に送り込まれて通過中に、該第２固定洗浄22の断面コ字状の内張り洗浄部材24に上記第１固定清掃具６や第１固定清掃具21によって洗浄、清掃されなかった残りの三面を摺擦させながらこの内張り洗浄部材24に含浸させている洗浄液によって洗浄され、次いで、第２固定清掃具７内に搬送されてこの第２固定清掃具７を通過中に、図13、図14に示すように、断面コ字状の内張り清掃部材９に上記残りの３面を摺擦させながら清掃される。
【００５４】
なお、上記第１、第２固定清掃具６、７は、麻雀牌Ａを摺擦させる内張り清掃部材８、９の円弧長を麻雀牌Ａの長さ寸法の５〜10倍程度の長さに設定されてあり、従って、麻雀牌Ａがこれらの内張り清掃部材８、９を通過中に汚れを綺麗に確実に洗浄、清掃される。  
【００５５】
第２搬送回転円盤５の回転に従って麻雀牌Ａが受止突片17により押し進められながら、上記第２固定清掃具７を通過すると受止突片17から離れてこの第２固定清掃具７の出口下方に配設している排出シュート18上に落下し、排出シュート18の下方に設置した適宜な収容容器等に収容される。なお、長時間の使用によって上記第１、第２固定清掃具７や第１、第２固定洗浄具21、22が汚れた場合には、同一構造を有する新たな固定清掃具、固定洗浄具と交換するように構成している。
【００５６】
また、以上の実施例においては、第１搬送回転円盤４に麻雀牌Ａを一個ずつ一定間隔毎に送り出す供給手段として、多数の麻雀牌Ａを受け入れる回転テーブル２と、外周面にこの回転テーブル２上の麻雀牌Ａを一個ずつ、吸着する磁石11を装着している麻雀牌供給回転円板３と、この麻雀牌供給回転円板３の外周面に吸着された麻雀牌Ａを受止して磁石11から離脱させ、第１搬送回転円盤４の下面に沿って配設している固定水平ガイド板13上に落とし込むストッパ12とによって構成しているが、このような供給手段に限定されることなく、例えば、ホッパーの下端に麻雀牌Ａを同じ姿勢でもって一個ずつ、第１搬送回転円盤４に供給できる通路を設けた構造や、テーブル上から麻雀牌Ａを一個ずつ、その長さ方向を前後方向に向けた状態で第１搬送回転円盤４上に押し出す供給手段などを採用してもよい。
【００５７】
この場合、麻雀牌Ａの表裏面は上下いずれの方向を向いていても、上記第１固定清掃具６によって上下面と外向きの面との三面を、第２固定清掃具７によって残りの三面を確実に清掃することができる。
【符号の説明】
【００５８】
Ａ  麻雀牌
１  機台
２  回転テーブル
３  麻雀牌供給回転円板
４  第１搬送回転円盤
５  第２搬送回転円盤
６  第１固定清掃具
７  第２固定清掃具
８、９  内張り清掃部材
12  ストッパ
13  第１固定水平ガイド板
14  受止突片
15  第２固定水平ガイド板
16  シュート
17  受止突片
21  第１固定洗浄具
22  第２固定洗浄具
23、24  洗浄部材
【図１】
0005912733.tif 000002
【図２】
0005912733.tif 000003
【図３】
0005912733.tif 000004
【図４】
0005912733.tif 000005
【図５】
0005912733.tif 000006
【図６】
0005912733.tif 000007
【図７】
0005912733.tif 000008
【図８】
0005912733.tif 000009
【図９】
0005912733.tif 000010
【図１０】
0005912733.tif 000011
【図１１】
0005912733.tif 000012
【図１２】
0005912733.tif 000013
【図１３】
0005912733.tif 000014
【図１４】
0005912733.tif 000015